(57)【特許請求の範囲】
【請求項１】
注出開口が設けられる隔壁を備え、容器の口部に取り付けられるキャップ本体と、前記隔壁の外周縁から突出する注出筒とを有する注出キャップであって、
前記注出開口と前記注出筒との間に、前記隔壁から突出し、前記注出筒の側に向けて互いの間隔を徐々に狭めるとともに前記注出筒の周方向に並ぶ４枚の流れガイド壁を備えることを特徴とする注出キャップ。
【請求項２】
前記注出開口に、隣り合う前記流れガイド壁の間に向けて延びる先細部を設けたことを特徴とする請求項１に記載の注出キャップ。
【請求項３】
プルリングを引き起こして前記隔壁に設けた破断予定線を引きちぎることにより、前記隔壁に前記注出開口が形成されることを特徴とする請求項１または２に記載の注出キャップ。
【請求項４】
前記キャップ本体にヒンジを介して一体に設けられ、前記注出開口を開閉する開閉蓋を備えることを特徴とする請求項１〜３のいずれか１項に記載の注出キャップ。
【発明の詳細な説明】
【技術分野】
【０００１】
本発明は、醤油やドレッシングなどの内容液を収容する容器の口部に取り付けられて、容器から内容液を注出する注出キャップに関する。
【背景技術】
【０００２】
醤油やドレッシングなどの内容液を収容する容器の口部には、内容液を注出するための注出キャップが取り付けられる。注出キャップは、口部に取り付けられるキャップ本体の隔壁に注出開口を備えた構成となっており、容器を傾けることにより、注出開口から内容液を注出することができる。
【０００３】
かかる注出キャップには、プルリングの引き起こしにより、隔壁に設けた破断予定線を引きちぎって注出開口を形成するプルリングタイプのものや、予め隔壁に注出開口を設けておき、容器の開封は、口部に貼り付けたフィルムを除去して行うようにしたものなどがある。
【０００４】
このような注出キャップでは、内容液を狙ったところに注出し易くするために、キャップ本体には注出開口から注出された内容液を案内する注出筒が設けられる。例えば特許文献１には、キャップ本体に、隔壁の外周縁から突出する注出筒を一体に設け、注出開口から注出された内容液を注出筒の内面で案内して、当該注出筒の先端から幅細に注ぎ出すようにした注出キャップが記載されている。
【先行技術文献】
【特許文献】
【０００５】
【特許文献１】特開２００９−２８６４６５号公報
【発明の概要】
【発明が解決しようとする課題】
【０００６】
しかしながら、特許文献１に記載される従来の注出キャップでは、注出開口から少量の内容液を注出する場合には、注出筒により内容液の流れの幅を狭く保つことができるが、容器を大きく傾けて注出開口から多量の内容液を注出した場合には、注出筒の内面で内容液の流れの幅を十分に収束させることができず、その流れの幅が広がって、内容液を狙ったところに注ぎ出しにくくなるという問題があった。
【０００７】
本発明は、上記の問題を解決することを課題とし、注出開口から多量の内容液を狙ったところに容易に注ぎ出すことができる注出キャップを提供することを目的とする。
【課題を解決するための手段】
【０００８】
本発明の注出キャップは、注出開口が設けられる隔壁を備え、容器の口部に取り付けられるキャップ本体と、前記隔壁の外周縁から突出する注出筒とを有する注出キャップであって、前記注出開口と前記注出筒との間に、前記隔壁から突出し、前記注出筒の側に向けて互いの間隔を徐々に狭めるとともに前記注出筒の周方向に並ぶ４枚の流れガイド壁を備えることを特徴とする。
【００１０】
上記構成においては、前記注出開口に、隣り合う前記流れガイド壁の間に向けて延びる先細部を設けるのが好ましい。
【００１１】
上記構成においては、プルリングを引き起こして前記隔壁に設けた破断予定線を引きちぎることにより、前記隔壁に前記注出開口が形成される構成とすることが好ましい。
【００１２】
上記構成においては、前記キャップ本体にヒンジを介して一体に設けられ、前記注出開口を開閉する開閉蓋を備える構成とすることが好ましい。
【発明の効果】
【００１３】
本発明によれば、注出開口から注出された多量の内容液を、少なくとも２枚の流れガイド壁の間に案内して、その流れの幅を収束させることができるので、注出筒の先端から注出される内容液の流れの幅を狭めることができる。これにより、多量の内容液を狙ったところに注出することを可能として、その注ぎ出しを容易にすることができる。
【図面の簡単な説明】
【００１４】
【図１】本発明の一実施の形態である注出キャップの斜視図である。
【図２】図１に示す注出キャップの平面図である。
【図３】図２におけるＡ−Ａ線に沿う断面図である。
【図４】開閉蓋が閉じられた注出キャップを容器の口部に取り付けた状態を示す断面図である。
【図５】隔壁に注出開口が形成された注出キャップの平面図である。
【図６】（ａ）は注出開口から少量の内容液を注出した様子を示す説明図、（ｂ）は注出開口から大量の内容液を注出した様子を示す説明図である。
【図７】注出開口から横向きに内容液を注出した様子を示す説明図である。
【図８】図１に示す注出キャップの変形例であって、隣り合う流れガイド壁の間隔を相違させた場合を示す平面図である。
【図９】参考例の注出キャップであって、２枚の流れガイド壁のみを設けた場合を示す平面図である。
【発明を実施するための形態】
【００１５】
以下、本発明の実施の形態を図面に基づいて詳細に説明する。
【００１６】
図１〜図３に示すように、本発明の一実施の形態である注出キャップ１は、キャップ本体２と開閉蓋３およびヒンジ４を有しており、開閉蓋３はヒンジ４によりキャップ本体２に連結されている。この注出キャップ１は樹脂製となっており、キャップ本体２、開閉蓋３及びヒンジ４は、例えば樹脂材料の射出成形等により、一体に形成されている。
【００１７】
キャップ本体２は、互いに同心に配置される円筒形状の外筒２ａおよび内筒２ｂを備えている。外筒２ａと内筒２ｂは軸方向の一端側において天壁２ｃにより連結され、軸方向の他端側に開口する取付け溝２ｄが外筒２ａと内筒２ｂとの間に設けられている。外筒２ａは内筒２ｂよりも軸方向長さが長く形成されており、その内筒２ｂよりも軸方向の他端側に突出する部分の内周面には、径方向内側に向けて突出する環状の係止凸部２ｅが一体に設けられている。
【００１８】
図４に示すように、キャップ本体２は、その取付け溝２ｄに容器５の口部５ａの先端が挿入（打栓）され、係止凸部２ｅが口部５ａにアンダーカット係合することにより、容器５の口部５ａに取り付けられる。キャップ本体２が取り付けられる容器５は、例えば、ガラス製や樹脂製のビンであり、その内部には、例えば醤油やドレッシング等の内容液６が収容される。
【００１９】
なお、キャップ本体２は、上記したアンダーカット係合に限らず、ねじ込みや圧入等の他の手段によって口部５ａに取り付けるようにしてもよい。
【００２０】
図３に示すように、キャップ本体２の内筒２ｂの径方向内側には、連結部２ｆを介して隔壁２ｇが一体に設けられている。図２に示すように、隔壁２ｇの外形は円形となっており、この隔壁２ｇには、略菱形の形状をなす破断予定線２ｈが設けられている。図３に示すように、破断予定線２ｈは隔壁２ｇを薄肉化して形成されており、隔壁２ｇの破断予定線２ｈに囲われた部分は除去予定部２ｉとなっている。除去予定部２ｉのヒンジ４の側の先端部分には、これと一体に支柱２ｊが設けられ、この支柱２ｊの先端には円環状のプルリング２ｋが一体に設けられている。
【００２１】
プルリング２ｋが引き起こされると、破断予定線２ｈが引きちぎられて、除去予定部２ｉが隔壁２ｇから除去され、図５に示すように、隔壁２ｇに略菱形の形状をなす注出開口７が形成される。つまり、この注出キャップ１は、プルリング２ｋの引き起こしにより容器５が開封（開栓）されるプルリングタイプとなっている。
【００２２】
キャップ本体２には、内容液６を案内するための注出筒８が一体に設けられている。この注出筒８は、キャップ本体２と同心の円筒状に形成されており、その基端部において隔壁２ｇの外周縁に連ねられ、当該外周縁から上方に突出している。なお、注出筒８のヒンジ４の側を向く所定範囲の部分は、その突出高さが他の部分よりも低くされ、また、注出筒８の先端部分は径方向外側に広げられたリップ形状となっている。
【００２３】
図２に示すように、破断予定線２ｈと注出筒８との間には、４枚の流れガイド壁９ａ〜９ｄが、注出筒８の周方向に対して所定の間隔を空けて等間隔に並べて設けられている。これらの流れガイド壁９ａ〜９ｄは、それぞれ破断予定線２ｈの側に凸となる断面円弧形状に形成されており、その幅方向（弦方向）を注出筒８の径方向に直交させて配置されている。また、それぞれの流れガイド壁９ａ〜９ｄは隔壁２ｇと一体に形成されており、隔壁２ｇから注出筒８と同一方向に突出している。
【００２４】
隣り合う流れガイド壁９ａ〜９ｄの間隔は、何れも、破断予定線２ｈの側から注出筒８の側に向けて徐々に狭くなっている。また、流れガイド壁９ａ〜９ｄの隔壁２ｇからの突出高さは、注出筒８の隔壁２ｇからの突出高さよりも低くされており、開閉蓋３が閉じられたときには、図４に示すように、開閉蓋３と各流れガイド壁９ａ〜９ｄの間にプルリング２ｋが収容されるようになっている。
【００２５】
プルリング２ｋが引き起こされて隔壁２ｇに注出開口７が形成されると、図５に示すように、４枚の流れガイド壁９ａ〜９ｄは、注出開口７と注出筒８との間に配置されることになる。注出開口７に対してヒンジ４とは反対側に配置される一対の流れガイド壁９ａ，９ｂの間は縦向き案内流路１０ａとなっており、ヒンジ４に対して注出開口７の側方にある一対の流れガイド壁９ａ，９ｄの間と、一対の流れガイド壁９ｂ，９ｃの間は、それぞれ横向き案内流路１０ｂ，１０ｃとなっている。それぞれの横向き案内流路１０ｂ，１０ｃは、縦向き案内流路１０ａに対して、その流れ方向が注出筒８の周方向に９０度ずれている。
【００２６】
略菱形の形状に形成された注出開口７の、ヒンジ４とは反対側を向く先端は縦向き先細部７ａとなっている。この縦向き先細部７ａは、縦向き案内流路１０ａを構成する一対の流れガイド壁９ａ，９ｂの間に向けて延びており、その先端は縦向き案内流路１０ａの出口にまで達している。また、注出開口７の、縦向き先細部７ａに対して、注出筒８の周方向に９０度ずれた一対の先端は、それぞれ縦向き先細部７ａよりも鈍角に形成された横向き先細部７ｂ，７ｃとなっている。一方の横向き先細部７ｂは、横向き案内流路１０ｂを構成する一対の流れガイド壁９ａ，９ｄの間に向けて横向き案内流路１０ｂの出口よりも手前にまで延びており、他方の横向き先細部７ｃは、横向き案内流路１０ｃを構成する一対の流れガイド壁９ｂ，９ｃの間に向けて横向き案内流路１０ｃの出口よりも手前にまで延びている。
【００２７】
開閉蓋３は、キャップ本体２と略同径の底付き円筒状に形成されており、その内部には円筒状のシール筒３ａが一体に設けられている。キャップ本体２には天壁２ｃから突出するとともに先端が径方向外側に突出する係止筒２ｌが一体に設けられ、この係止筒２ｌの先端に係合する環状の係合溝３ｂが開閉蓋３の内周面に設けられている。
【００２８】
図４に示すように、開閉蓋３が閉じられると、開閉蓋３の係合溝３ｂにキャップ本体２の係止筒２ｌの先端部の係合部が係合し、開閉蓋３は閉じた状態に保持される。そして、開閉蓋３が閉じた状態では、開閉蓋３の開口端がキャップ本体２の天壁２ｃに当接するとともに、シール筒３ａの外周面が注出筒８の内周面に嵌合して、注出筒８つまり注出開口７が閉塞される。一方、係合溝３ｂから係止筒２ｌを離脱させ、開閉蓋３を開くことにより、注出筒８つまり注出開口７を開放することができる。このように、注出キャップ１を用いることにより、プルリング２ｋの引き起こしにより開封された容器５を、開閉蓋３によって容易に開閉することができる。
【００２９】
次に、容器５から内容液６を注出する際の注出キャップ１の作用について説明する。
【００３０】
図６（ａ）に示すように、開閉蓋３を開いた状態で、容器５を（ヒンジ４と反対側に）傾けることにより、注出開口７の縦向き先細部７ａから少量の内容液６を注出することができる。注出開口７の縦向き先細部７ａから少量の内容液６が注出されると、その内容液６は、隣り合う流れガイド壁９ａ，９ｂの間つまり縦向き案内流路１０ａを通って注出筒８の内面に達し、注出筒８の内面に沿って流れて、注出筒８の先端から注ぎ出される。このように、注出開口７から注出される内容液６が少量のときには、内容液６は流れガイド壁９ａ，９ｂに案内されることなく、注出筒８の内面に案内されて、当該注出筒８の先端から細幅に注出される。
【００３１】
一方、図６（ｂ）に示すように、容器５を（ヒンジ４と反対側に）大きく傾けることにより、注出開口７の縦向き先細部７ａから多量の内容液６を注出することができる。注出開口７の縦向き先細部７ａから多量の内容液６が注出されると、その内容液６は、隣り合う流れガイド壁９ａ，９ｂにより縦向き案内流路１０ａに沿って流れるように案内される。隣り合う流れガイド壁９ａ，９ｂに案内されると、内容液６の流れの幅が、隣り合う流れガイド壁９ａ，９ｂの間隔に合わせて徐々に狭められる。そして、内容液６は、縦向き案内流路１０ａの出口幅にまで狭められ、隣り合う流れガイド壁９ａ，９ｂの間から注出筒８の内面に向けて流出し、そこから注出筒８の内面に沿って流れて、注出筒８の先端から注ぎ出される。
【００３２】
流れガイド壁９ａ，９ｂが設けられない構成では、注出開口７の縦向き先細部７ａから多量の内容液６が注出されると、図中に一点鎖線で示されるように、注出筒８から注出される内容液６の流れの幅が広がり、狙ったところに内容液６を注出することは困難となる。
【００３３】
これに対して、流れガイド壁９ａ，９ｂを設けた本願発明の注出キャップ１では、注出開口７から多量の内容液６が注出されても、一対の流れガイド壁９ａ，９ｂにより内容液６を案内し、その流れを縦向き案内流路１０ａの出口幅にまで収束させることができる。つまり、この注出キャップ１では、注出開口７から多量の内容液６が注出されても、注出筒８の先端から注出される内容液６の流れの幅が広がることを抑制して、その流れ幅を狭めることができる。これにより、多量の内容液６を狙ったところに容易に注ぎ出すことができる。
【００３４】
ところで、上記のように、注出開口７の横向き先細部７ｂ，７ｃは、縦向き先細部７ａよりも鈍角に形成されているので、容器５の傾き角度を同じにしても、容器５をヒンジ４と反対方向に傾けた場合よりも横方向に傾けた方が、注出開口７からの内容液６の注出量が多くなる。しかしながら、この注出キャップ１では、４枚の流れガイド壁９ａ〜９ｄを設けるようにしているので、図７に示すように、容器５を横方向に傾けた場合でも、流れガイド壁９ａ，９ｄまたは流れガイド壁９ｂ，９ｃにより、内容液６の流れの幅を狭めて、横方向からの内容液６の注ぎ出しをも容易にすることができる。つまり、容器５が横方向に傾けられて、横向き先細部７ｂから多量の内容液６が注出されても、その内容液６を、横向き案内流路７ｂを構成する一対の流れガイド壁９ａ，９ｄにより案内して、その流れの幅を横向き案内流路１０ｂの出口幅に狭めて、注出筒８の先端から細幅に注出させることができる。同様に、容器５を横方向の逆向きに傾けて、横向き先細部７ｃから多量の内容液６を注出する場合も、内容液６を、横向き案内流路７ｃを構成する一対の流れガイド壁９ｂ，９ｃにより案内して、その流れの幅を横向き案内流路１０ｃの出口幅に狭めて、注出筒８の先端から細幅に注出させることができる。このように、容器５を横向きに傾けて、注出キャップ１から内容液６を横倒し吐出させた場合であっても、内容液６の流れを一対の流れガイド壁９ａ〜９ｄにより収束させて、注出筒８からの内容液６の注ぎ出しを容易にすることができる。
【００３５】
上記のように、この注出キャップ１では、各流れガイド壁９ａ〜９ｄを円弧形状に形成するようにしているので、隣り合う流れガイド壁９ａ〜９ｄが互いになす角度は注出筒８の側ほど小さくなっている。これにより、多量の内容液６を隣り合う流れガイド壁９ａ〜９ｄの間に効率的に案内することができるとともに、各案内流路１０ａ〜１０ｃを流れる内容液６を効率よく注出筒８に向けて流出させることができる。
【００３６】
図８は図１に示す注出キャップ１の変形例であって、隣り合う流れガイド壁９ａ〜９ｄの間隔を相違させた場合を示す平面図である。図８においては、前述した部材に対応する部材には同一の符号を付してある。
【００３７】
図８に示す注出キャップ１では、４枚の流れガイド壁９ａ〜９ｄが設けられる構成において、隣り合う流れガイド壁９ａ〜９ｄの間隔を、それぞれの対について互いに相違させるようにしている。より具体的には、隣り合う流れガイド壁９ａ，９ｂの間隔を、他の隣り合う流れガイド壁９ａ，９ｄや流れガイド壁９ｂ，９ｃの間隔よりも狭く設定するようにしている。
【００３８】
この構成により、容器５から少量の内容液６を注出する場合には、容器５を縦方向に傾けて、隣り合う流れガイド壁９ａ，９ｂの間から内容液６を注出し、少量の内容液６をより容易に注出させることができる。また、容器５から多量の内容液６を注出する場合には、容器５を横方向に傾けて、隣り合う流れガイド壁９ａ，９ｄないし流れガイド壁９ｂ，９ｃの間から内容液６を注出することにより、多量の内容液６をより容易に注出させることができる。このように、隣り合う流れガイド壁９ａ〜９ｄの間隔を、それぞれの対について互いに相違させることにより、容器５の傾ける方向を選択して、内容液６の注出量に応じた最適な注出作業を行うことができる。
【００３９】
図９は参考例の注出キャップであって、２枚の流れガイド壁９ａ，９ｂのみを設けた場合を示す平面図である。図９においては、前述した部材に対応する部材には同一の符号を付してある。
【００４０】
図９に示す注出キャップ１では、注出開口７と注出筒８との間に２枚の流れガイド壁９ａ，９ｂのみが設けられる。図示する場合では、注出開口７は、縦向き先細部７ａが注出開口７の中心よりもヒンジ４の側にまで延びる鋭角形状に形成され、一対の流れガイド壁９ａ，９ｂは注出開口７の縦向き先細部７ａの側辺と同程度の長さに設定されて、縦向き先細部７ａの側部に沿って配置されている。この構成では、一対の流れガイド壁９ａ，９ｂは、注出開口７の縦向き先細部７ａの側辺に沿って、注出開口７の中心位置よりもヒンジ４の側にまで延びて形成されるので、注出開口７からより多量の内容液６が注出されても、当該内容液６を一対の流れガイド壁９ａ，９ｂの間に確実に案内して、注出筒８の先端から細幅に注出させることができる。
【００４１】
本発明は前記実施の形態に限定されるものではなく、その要旨を逸脱しない範囲で種々変更可能であることはいうまでもない。例えば、前記実施の形態においては、断面円弧形状に形成した流れガイド壁９ａ〜９ｄを、その幅方向を注出筒８の径方向に直交させて隔壁２ｇ上に配置するようにしているが、これに限らず、注出筒８に向けて互いの間隔を狭める形状、配置であれば、流れガイド壁９ａ〜９ｄの形状や配置方向は種々変更することができる。例えば、流れガイド壁９ａ〜９ｄを、平板状に形成したり、注出開口７の側に向けて凸となる断面くの字形状や断面三角形状等に形成してもよい。また、流れガイド壁９ａ〜９ｄを、注出筒８の径方向に対する角度を互いに相違させて配置したり、注出筒８からの距離を互いに相違させて配置したりすることもできる。さらに、流れガイド壁９ａ〜９ｄを、周方向に等間隔で設けるようにしても、周方向に異なる間隔で設けるようにしてもよい。
【００４２】
さらに、隣り合う流れガイド壁の、注出筒８側の端部間の距離（幅）は、自由に設定することができ、これにより、各端部間からの注出量を容易に相違させることができる。例えば、４枚の流れガイド壁を設けた場合には、内容液６を注出可能な３つの方向について、端部間距離をそれぞれ相違させることにより、大中小の３種類の注出を容易に行うことができる。
【００４３】
また、前記実施の形態においては、注出キャップ１は、プルリング２ｋを引き起こすことにより注出開口７が形成されるプルリングタイプとされているが、これに限らず、隔壁２ｇに予め注出開口７を設けた構成としてもよい。この場合、容器５の口部５ａを、当該口部５ａに貼り付けたフィルム等により閉塞するようにしてもよい。
【００４５】
さらに、前記実施の形態においては、注出キャップ１は、ヒンジ４を介して開閉蓋３をキャップ本体２と一体に設けたヒンジキャップタイプとされているが、これに限らず、開閉蓋３をキャップ本体２と別体に設けた構成であってもよい。この場合、開閉蓋３をキャップ本体２や容器５の口部５ａに、ねじ込み等により取り付ける構成とすることができる。
【００４６】
さらに、注出開口７の形状は、図５、図９に示される形状に限らず、円形、楕円形、菱形、ひょうたん形など、どのような形状であってもよい。注出開口７がどのような形状に形成されても、流れガイド壁を設けることにより、内容液６の流れの幅を容易に狭めることができる。また、様々な形状の流れガイド壁と注出開口７とを組み合わせることにより、この注出キャップ１からの内容液６の注出幅を自由に設定することができる。
【符号の説明】
【００４７】
１  注出キャップ
２  キャップ本体
２ａ  外筒
２ｂ  内筒
２ｃ  天壁
２ｄ  取付け溝
２ｅ  係止凸部
２ｆ  連結部
２ｇ  隔壁
２ｈ  破断予定線
２ｉ  除去予定部
２ｊ  支柱
２ｋ  プルリング
２ｌ  係止筒
３  開閉蓋
３ａ  シール筒
３ｂ  係合溝
４  ヒンジ
５  容器
５ａ  口部
６  内容液
７  注出開口
７ａ  縦向き先細部
７ｂ，７ｃ  横向き先細部
８  注出筒
９ａ〜９ｄ  流れガイド壁
１０ａ  縦向き案内流路
１０ｂ，１０ｃ  横向き案内流路
【図１】
0005897380.tif 000002
【図２】
0005897380.tif 000003
【図３】
0005897380.tif 000004
【図４】
0005897380.tif 000005
【図５】
0005897380.tif 000006
【図６】
0005897380.tif 000007
【図７】
0005897380.tif 000008
【図８】
0005897380.tif 000009
【図９】
0005897380.tif 000010